(57)【特許請求の範囲】
【請求項１】
複数の第一絶縁部及び第二絶縁部と、前記第一絶縁部及び前記第二絶縁部を連結する橋絡部とを一体に有するインシュレータを用い、ステータコアに形成されたティースを前記第一絶縁部及び前記第二絶縁部のうちの一方に装着した後に、前記橋絡部を切断する装着・切断工程と、
前記第一絶縁部及び前記第二絶縁部のうち少なくともいずれかを相手側に対して移動させて、前記第一絶縁部及び前記第二絶縁部のうちの他方と前記ティースとの位置合わせを行う位置合わせ工程と、
前記第一絶縁部及び前記第二絶縁部のうちの他方を前記ティースに装着する装着工程と、
前記ティースに前記第一絶縁部及び前記第二絶縁部を介して巻線を巻回し、前記巻線により前記ティースに巻線巻回部を形成する巻線巻回工程と、
を備えたステータの製造方法。
【請求項２】
前記インシュレータとして、前記第一絶縁部及び前記第二絶縁部が、前記ティースに形成された軸部及び傘部を覆う軸部絶縁部及び傘部絶縁部をそれぞれ有すると共に、前記橋絡部が、前記第一絶縁部及び前記第二絶縁部における前記傘部絶縁部同士を連結するものを用いる、
請求項１に記載のステータの製造方法。
【請求項３】
前記インシュレータとして、複数の前記第一絶縁部が環状に配列して形成されると共に、複数の前記第一絶縁部を連結する連結部が形成されたものを用いる、
請求項１又は請求項２に記載のステータの製造方法。
【請求項４】
前記インシュレータとして、複数の前記第一絶縁部が環状に等間隔に配列して形成されると共に、複数の前記第二絶縁部が各前記第一絶縁部に対して同じ側にずらして形成され、且つ、各前記橋絡部が互いに同一の長さで形成されたものを用い、
前記装着・切断工程において、前記ステータコアの周方向に分割された複数の前記ティースの各々を前記第一絶縁部及び前記第二絶縁部のうちの一方に装着し、
前記位置合わせ工程において、前記第一絶縁部及び前記第二絶縁部のうち少なくともいずれかを相手側に対して移動させて、前記第一絶縁部及び前記第二絶縁部のうちの他方と前記ティースとの位置合わせを行う、
請求項１〜請求項３のいずれか一項に記載のステータの製造方法。
【請求項５】
前記インシュレータとして、前記第一絶縁部及び前記第二絶縁部が、前記ステータコアの周方向に分割された複数の前記ティースの各々に前記ステータコアの軸方向両側から装着可能なものを用い、
前記位置合わせ工程において、前記ティースを鉛直方向上側から前記第一絶縁部及び前記第二絶縁部のうちの一方に装着した状態で、前記第一絶縁部及び前記第二絶縁部のうちの他方と前記ティースとの位置合わせを行う、
請求項１〜請求項４のいずれか一項に記載のステータの製造方法。
【請求項６】
一つの前記ステータコアに対し、複数の前記インシュレータを用いると共に、各前記インシュレータとして、複数の前記第一絶縁部が環状に配列して形成されると共に複数の前記第一絶縁部を連結する連結部が形成されたものを用いる、
請求項１〜請求項５のいずれか一項に記載のステータの製造方法。
【請求項７】
前記複数のインシュレータとして、前記複数のインシュレータが互いに組み付けられた場合に、複数の前記連結部が前記ステータコアの径方向及び軸方向のいずれか一方向、又は、それらを組み合わせた方向に間隙を有して配置されるように、複数の前記連結部が形成されたものを用いる、
請求項６に記載のステータの製造方法。
【請求項８】
前記複数のインシュレータとして、複数の前記連結部のうち少なくとも一つの連結部に、他の部材を収容する収容部が形成されたものを用いる、
請求項６又は請求項７に記載のステータの製造方法。
【請求項９】
前記複数のインシュレータとして、各前記連結部に、渡り線を保持するための保持部が形成されたものを用いる、
請求項６〜請求項８のいずれか一項に記載のステータの製造方法。
【請求項１０】
前記複数のインシュレータとして、前記複数のインシュレータが互いに組み付けられた場合に、複数の前記連結部が互いに離間した状態で保持されるように、複数の前記連結部にスペーサが形成されたものを用いる、
請求項６〜請求項９のいずれか一項に記載のステータの製造方法。
【請求項１１】
前記複数のインシュレータとして、各前記インシュレータが前記ステータコアに組み付けられた場合に、前記連結部が前記ステータコアと同軸上に設けられるように、前記連結部が形成されたものを用いる、
請求項６〜請求項１０のいずれか一項に記載のステータの製造方法。
【請求項１２】
前記複数のインシュレータとして、各前記インシュレータが前記ステータコアに組み付けられた場合に、前記連結部が前記ティースに対して前記ステータコアの径方向内側に位置されるように、前記連結部が形成されたものを用いる、
請求項６〜請求項１１のいずれか一項に記載のステータの製造方法。
【請求項１３】
前記複数のインシュレータとして、前記第一絶縁部及び前記第二絶縁部を有する複数の絶縁部の各々が、前記ティースに形成された軸部及び傘部を覆う軸部絶縁部及び傘部絶縁部を有し前記ティースと前記巻線巻回部とを絶縁する絶縁本体部と、前記ティースに対して前記ステータコアの径方向内側に位置されると共に前記絶縁本体部から前記ステータコアの軸方向、径方向、及び、周方向のいずれか又はその組み合わせの方向に延出する延出部とを有すると共に、前記連結部が、複数の前記延出部を連結するように形成されたものを用いる、
請求項６〜請求項１２のいずれか一項に記載のステータの製造方法。
【発明の詳細な説明】
【技術分野】
【０００１】
本発明は、ステータの製造方法に関する。
【背景技術】
【０００２】
従来、ステータコアと、このステータコアの軸方向両側からステータコアに装着される一対のインシュレータとを備えたステータがある（例えば、特許文献１参照）。
【先行技術文献】
【特許文献】
【０００３】
【特許文献１】特許第３８１６７８３号公報
【発明の概要】
【発明が解決しようとする課題】
【０００４】
しかしながら、このステータでは、一対のインシュレータを備えているため、ステータの組み立てに必要な部品点数が増加する。
【０００５】
本発明は、上記課題に鑑みてなされたものであって、ステータの組み立てに必要な部品点数を削減することができるステータの製造方法を提供することを目的とする。
【課題を解決するための手段】
【０００６】
前記課題を解決するために、請求項１に記載のステータの製造方法は、複数の第一絶縁部及び第二絶縁部と、前記第一絶縁部及び前記第二絶縁部を連結する橋絡部とを一体に有するインシュレータを用い、ステータコアに形成されたティースを前記第一絶縁部及び前記第二絶縁部のうちの一方に装着した後に、前記橋絡部を切断する装着・切断工程と、前記第一絶縁部及び前記第二絶縁部のうち少なくともいずれかを相手側に対して移動させて、前記第一絶縁部及び前記第二絶縁部のうちの他方と前記ティースとの位置合わせを行う位置合わせ工程と、前記第一絶縁部及び前記第二絶縁部のうちの他方を前記ティースに装着する装着工程と、前記ティースに前記第一絶縁部及び前記第二絶縁部を介して巻線を巻回し、前記巻線により前記ティースに巻線巻回部を形成する巻線巻回工程と、を備えている。
【０００７】
このステータの製造方法によれば、インシュレータとして、複数の第一絶縁部及び第二絶縁部と、第一絶縁部及び第二絶縁部を連結する橋絡部とを一体に有するものを用いる。従って、インシュレータとして、第一絶縁部及び第二絶縁部が別々に形成されたものを用いる場合に比して、ステータの組み立てに必要な部品点数を削減することができる。
【０００９】
また、このステータの製造方法によれば、装着・切断工程においては、ティースが第一絶縁部及び第二絶縁部のうちの一方に装着された後に、橋絡部が切断される。従って、例えば、ティースを第一絶縁部及び第二絶縁部のうちの一方に装着する際に、インシュレータを治具にセットする場合には、第一絶縁部及び第二絶縁部を含むインシュレータの全体を一度に治具にセットすることができる。これにより、ティースを第一絶縁部及び第二絶縁部のうちの一方に装着する前に、橋絡部を切断する場合に比して、インシュレータを治具にセットする工数を削減することができる。
【００１０】
請求項２に記載のステータの製造方法は、請求項１に記載のステータの製造方法において、前記インシュレータとして、前記第一絶縁部及び前記第二絶縁部が、前記ティースに形成された軸部及び傘部を覆う軸部絶縁部及び傘部絶縁部をそれぞれ有すると共に、前記橋絡部が、前記第一絶縁部及び前記第二絶縁部における前記傘部絶縁部同士を連結するものを用いる。
【００１１】
ティースにおける軸部は、巻線が巻回されて巻線巻回部が形成される部位である。また、ティースの軸部における基端側には、例えば、巻線の端末部をガイドするガイド部等が形成される。
【００１２】
この点、このステータの製造方法によれば、インシュレータとして、橋絡部が、第一絶縁部及び第二絶縁部における傘部絶縁部同士を連結するものを用いる。従って、橋絡部を形成したことが、巻線巻回部やガイド部等に影響を及ぼすことを抑制することができる。
【００１３】
請求項３に記載のステータの製造方法は、請求項１又は請求項２に記載のステータの製造方法において、前記インシュレータとして、複数の前記第一絶縁部が環状に配列して形成されると共に、複数の前記第一絶縁部を連結する連結部が形成されたものを用いる。
【００１４】
このステータの製造方法によれば、インシュレータとして、環状に配列された複数の第一絶縁部が、連結部によって連結されたものを用いる。従って、その後の位置合わせ工程において、第一絶縁部及び第二絶縁部のうちの他方とティースとの位置合わせを容易に行うことができる。
【００１５】
請求項４に記載のステータの製造方法は、請求項１〜請求項３のいずれか一項に記載のステータの製造方法において、前記インシュレータとして、複数の前記第一絶縁部が環状に等間隔に配列して形成されると共に、複数の前記第二絶縁部が各前記第一絶縁部に対して同じ側にずらして形成され、且つ、各前記橋絡部が互いに同一の長さで形成されたものを用い、前記装着・切断工程において、前記ステータコアの周方向に分割された複数の前記ティースの各々を前記第一絶縁部及び前記第二絶縁部のうちの一方に装着し、前記位置合わせ工程において、前記第一絶縁部及び前記第二絶縁部のうち少なくともいずれかを相手側に対して移動させて、前記第一絶縁部及び前記第二絶縁部のうちの他方と前記ティースとの位置合わせを行う。
【００１６】
このステータの製造方法によれば、インシュレータとして、環状に等間隔に配列された複数の第一絶縁部が連結部によって連結されると共に、複数の第二絶縁部が各第一絶縁部に対して同じ側にずらして形成され、且つ、各橋絡部が互いに同一の長さで形成されたものを用いる。従って、成形工程の後の装着・切断工程において、ティースを第一絶縁部及び第二絶縁部のうちの一方に装着し、位置合わせ工程において、第一絶縁部及び前記第二絶縁部のうちの他方とティースとの位置合わせを行う場合でも、複数の第一絶縁部及び複数の第二絶縁部のうち移動される方の絶縁部の移動距離を統一させることができる。これにより、第一絶縁部及び第二絶縁部のうちの他方とティースとの位置合わせを容易に行うことができる。
【００１７】
請求項５に記載のステータの製造方法は、請求項１〜請求項４のいずれか一項に記載のステータの製造方法において、前記インシュレータとして、前記第一絶縁部及び前記第二絶縁部が、前記ステータコアの周方向に分割された複数の前記ティースの各々に前記ステータコアの軸方向両側から装着可能なものを用い、前記位置合わせ工程において、前記ティースを鉛直方向上側から前記第一絶縁部及び前記第二絶縁部のうちの一方に装着した状態で、前記第一絶縁部及び前記第二絶縁部のうちの他方と前記ティースとの位置合わせを行う。
【００１８】
このステータの製造方法によれば、位置合わせ工程においては、ティースを鉛直方向上側から第一絶縁部及び第二絶縁部のうちの一方に装着した状態で、第一絶縁部及び第二絶縁部のうちの他方とティースとの位置合わせが行われる。従って、ティースを第一絶縁部及び第二絶縁部のうちの一方に装着した状態に容易に保持することができる。これにより、第一絶縁部及び第二絶縁部のうちの他方とティースとの位置合わせを容易に行うことができる。
【００１９】
請求項６に記載のステータの製造方法は、請求項１〜請求項５のいずれか一項に記載のステータの製造方法において、一つの前記ステータコアに対し、複数の前記インシュレータを用いると共に、各前記インシュレータとして、複数の前記第一絶縁部が環状に配列して形成されると共に複数の前記第一絶縁部を連結する連結部が形成されたものを用いる。
【００２０】
このステータの製造方法によれば、一つのステータコアに対し、複数のインシュレータを用いる。従って、ステータコアの周方向に分割された複数のティースの各々を各インシュレータに組み付ければ、ステータコアを複数のステータ構成部材に分割することができる。これにより、各ステータ構成部材毎の製造が可能になるので、ステータコアの組立作業（特に、巻線の巻回作業）が容易となる。
【００２１】
また、インシュレータとして、環状に配列された複数の第一絶縁部が、連結部によって連結されたものを用いる。従って、その後の位置合わせ工程において、第一絶縁部及び第二絶縁部のうちの他方とティースとの位置合わせを容易に行うことができる。
【００２２】
請求項７に記載のステータの製造方法は、請求項６に記載のステータの製造方法において、前記複数のインシュレータとして、前記複数のインシュレータが互いに組み付けられた場合に、複数の前記連結部が前記ステータコアの径方向及び軸方向のいずれか一方向、又は、それらを組み合わせた方向に間隙を有して配置されるように、複数の前記連結部が形成されたものを用いる。
【００２３】
このステータの製造方法によれば、複数のインシュレータが互いに組み付けられた場合には、複数の連結部がステータコアの径方向及び軸方向のいずれか一方向、又は、それらを組み合わせた方向に間隙を有して配置される。従って、複数のインシュレータが互いに組み付けられる際に、複数の連結部の干渉を抑制することができる。これにより、複数のインシュレータを互いに組み付ける際の作業性を良好にすることができる。
【００２４】
請求項８に記載のステータの製造方法は、請求項６又は請求項７に記載のステータの製造方法において、前記複数のインシュレータとして、複数の前記連結部のうち少なくとも一つの連結部に、他の部材を収容する収容部が形成されたものを用いる。
【００２５】
このステータの製造方法によれば、複数のインシュレータとして、複数の連結部のうち少なくとも一つの連結部に、他の部材を収容する収容部が形成されたものを用いる。これにより、ステータの組立状態において、連結部と他の部材との干渉を回避することができる。
【００２６】
請求項９に記載のステータの製造方法は、請求項６〜請求項８のいずれか一項に記載のステータの製造方法において、前記複数のインシュレータとして、各前記連結部に、渡り線を保持するための保持部が形成されたものを用いる。
【００２７】
このステータの製造方法によれば、複数のインシュレータとして、各連結部に、渡り線を保持するための保持部が形成されたものを用いる。従って、複数のステータ構成部材を互いに組み付ける際の作業性を良好にすることができる。また、ステータをブラシレスモータに組み込んだ後においても、渡り線が保持部によって連結部に保持されるので、渡り線のばたつきを抑制することができ、異音や故障の発生を抑制することができる。
【００２８】
請求項１０に記載のステータの製造方法は、請求項６〜請求項９のいずれか一項に記載のステータの製造方法において、前記複数のインシュレータとして、前記複数のインシュレータが互いに組み付けられた場合に、複数の前記連結部が互いに離間した状態で保持されるように、複数の前記連結部にスペーサが形成されたものを用いる。
【００２９】
このステータの製造方法によれば、ステータの組立状態において、複数の連結部をスペーサによって互いに離間した状態で保持することができる。これにより、例えば、複数の連結部の間に渡り線を配線するためのスペースを確保することができると共に、複数の連結部のがたつきも抑制することができる。
【００３０】
請求項１１に記載のステータの製造方法は、請求項６〜請求項１０のいずれか一項に記載のステータの製造方法において、前記複数のインシュレータとして、各前記インシュレータが前記ステータコアに組み付けられた場合に、前記連結部が前記ステータコアと同軸上に設けられるように、前記連結部が形成されたものを用いる。
【００３１】
このステータの製造方法によれば、インシュレータがステータコアに組み付けられた場合には、連結部がステータコアと同軸上に設けられる。従って、ステータの構造を簡素化することができる。
【００３２】
請求項１２に記載のステータの製造方法は、請求項６〜請求項１１のいずれか一項に記載のステータの製造方法において、前記複数のインシュレータとして、各前記インシュレータが前記ステータコアに組み付けられた場合に、前記連結部が前記ティースに対して前記ステータコアの径方向内側に位置されるように、前記連結部が形成されたものを用いる。
【００３３】
このステータの製造方法によれば、インシュレータがステータコアに組み付けられた場合には、連結部がステータコアに対して径方向内側に位置される。従って、フライヤを用いて巻線をステータコアの径方向外側からティースに巻回する際に、フライヤと連結部が干渉することを抑制することができる。
【００３４】
請求項１３に記載のステータの製造方法は、請求項６〜請求項１２のいずれか一項に記載のステータの製造方法において、前記複数のインシュレータとして、前記第一絶縁部及び前記第二絶縁部を有する複数の絶縁部の各々が、前記ティースに形成された軸部及び傘部を覆う軸部絶縁部及び傘部絶縁部を有し前記ティースと前記巻線巻回部とを絶縁する絶縁本体部と、前記ティースに対して前記ステータコアの径方向内側に位置されると共に前記絶縁本体部から前記ステータコアの軸方向、径方向、及び、周方向のいずれか又はその組み合わせの方向に延出する延出部とを有すると共に、前記連結部が、複数の前記延出部を連結するように形成されたものを用いる。
【００３５】
このステータの製造方法によれば、ティースと巻線巻回部とを絶縁する絶縁本体部からはステータコアの軸方向、径方向、及び、周方向のいずれか又はその組み合わせの方向に延出部が延出され、この延出部は、連結部によって連結される。ここで、この延出部は、ティースに対してステータコアの径方向内側に位置される。従って、フライヤを用いてステータコアの径方向外側からティースに巻線を巻回する際に、フライヤと延出部や連結部が干渉することを抑制することができる。
【図面の簡単な説明】
【００３６】
【図１】本発明の一実施形態に係るステータの斜視図である。
【図２Ａ】図１に示されるＵ相のステータ構成部材の分解斜視図である。
【図２Ｂ】図１に示されるＶ相のステータ構成部材の分解斜視図である。
【図２Ｃ】図１に示されるＷ相のステータ構成部材の分解斜視図である。
【図３Ａ】図２Ａに示されるインシュレータの平面図である。
【図３Ｂ】図２Ｂに示されるインシュレータの平面図である。
【図３Ｃ】図２Ｃに示されるインシュレータの平面図である。
【図４Ａ】図２Ａに示されるインシュレータを治具にセットすると共に複数のティースを第二絶縁部に装着した状態を示す図である。
【図４Ｂ】図４Ａに示されるインシュレータの橋絡部を切断する様子を示す図である。
【図４Ｃ】図４Ｂに示されるインシュレータのうち第二絶縁部を除く部分を上昇させると共に第二絶縁部をスライドさせる様子を示す図である。
【図４Ｄ】図４Ｃに示されるインシュレータのうち第二絶縁部を除く部分を降下させて第一絶縁部をティースに装着した状態を示す図である。
【図４Ｅ】図４Ｄに示されるティースに巻線を巻回する様子を示す図である。
【図５】本発明の一実施形態におけるインシュレータの変形例を示す図である。
【図６Ａ】図５に示されるインシュレータを治具にセットすると共に複数のティースを第二絶縁部に装着した状態を示す図である。
【図６Ｂ】図６Ａに示されるインシュレータの橋絡部を切断する様子を示す図である。
【図６Ｃ】図６Ｂに示されるインシュレータのうち第二絶縁部を除く部分を上昇させると共に第二絶縁部をスライドさせる様子を示す図である。
【図６Ｄ】図６Ｃに示されるインシュレータのうち第二絶縁部を除く部分を降下させて第一絶縁部をティースに装着した状態を示す図である。
【発明を実施するための形態】
【００３７】
以下、図面に基づき、本発明の一実施形態について説明する。
【００３８】
図１に示される本発明の一実施形態に係るステータ１０は、一例として、インナロータタイプのブラシレスモータに用いられるものであり、図２Ａ〜図２Ｃに示されるＵ相のステータ構成部材１２Ｕ、Ｖ相のステータ構成部材１２Ｖ、及び、Ｗ相のステータ構成部材１２Ｗを有して構成されている。
【００３９】
図１，図２Ａに示されるように、Ｕ相のステータ構成部材１２Ｕは、複数のティース１４Ｕと、巻線１６Ｕと、インシュレータ１８Ｕを有して構成されている。なお、図２Ａでは、巻線１６Ｕの図示が省略されている。
【００４０】
複数のティース１４Ｕは、後述するＶ相の複数のティース１４Ｖと、Ｗ相の複数のティース１４Ｗと共にステータコア２０を構成している。各ティース１４Ｕは、軸部２２Ｕと、傘部２４Ｕとを有している。軸部２２Ｕは、ステータコア２０の径方向に沿って延びており、傘部２４Ｕは、軸部２２Ｕの先端部に形成されている。また、傘部２４Ｕは、後述するＶ相の複数の傘部２４Ｖと、Ｗ相の複数の傘部２４Ｗと共に環状のヨーク２６を構成するものであり、それぞれ円弧状に形成されている。
【００４１】
図１に示される巻線１６Ｕは、Ｕ相を構成しており、複数の巻線巻回部２８Ｕと、複数の渡り線３０Ｕとを有している。複数の巻線巻回部２８Ｕは、それぞれ後述する軸部絶縁部４２Ｕ，５２Ｕを介してティース１４Ｕの軸部２２Ｕに集中的に巻回されており、複数の渡り線３０Ｕによって互いに接続されている。渡り線３０Ｕは、後述するインシュレータ１８Ｕに形成された連結部３６Ｕの外周面に沿って配線されている（巻き付けられている）。また、巻線１６Ｕの両端側の端末部３２Ｕは、ティース１４Ｕからステータコア２０の軸方向一方側（矢印Ｚ１側）に導出されている。
【００４２】
インシュレータ１８Ｕは、樹脂製とされており、図２Ａに示されるように、複数の絶縁部３４Ｕと、連結部３６Ｕとを一体に有している。複数の絶縁部３４Ｕは、上述の複数のティース１４Ｕと同数設けられており、環状に等間隔に配列されている。各絶縁部３４Ｕは、ステータコア２０の軸方向に分割された第一絶縁部４０Ｕ及び第二絶縁部５０Ｕを有している。
【００４３】
第一絶縁部４０Ｕ及び第二絶縁部５０Ｕは、軸部絶縁部４２Ｕ，５２Ｕ、傘部絶縁部４４Ｕ，５４Ｕ、及び、巻線支持部４６Ｕ，５６Ｕをそれぞれ有している。この軸部絶縁部４２Ｕ，５２Ｕ、傘部絶縁部４４Ｕ，５４Ｕ、及び、巻線支持部４６Ｕ，５６Ｕは、ティース１４Ｕと巻線巻回部２８Ｕ（図１参照）とを絶縁する絶縁本体部６０Ｕを構成している。軸部絶縁部４２Ｕ，５２Ｕは、ステータコア２０の軸方向両側から軸部２２Ｕに装着されて、この軸部２２Ｕを覆う構成とされている。傘部絶縁部４４Ｕ，５４Ｕは、軸部絶縁部４２Ｕ，５２Ｕの先端部に形成されており、ステータコア２０の軸方向両側から傘部２４Ｕに装着されて、この傘部２４Ｕにおける外周面を除く部分を覆う構成とされている。
【００４４】
巻線支持部４６Ｕ，５６Ｕは、軸部絶縁部４２Ｕ，５２Ｕの基端部にそれぞれ形成されている。この巻線支持部４６Ｕ，５６Ｕは、ステータコア２０の径方向を板厚方向とすると共に、ステータコア２０の軸方向に延びる板状に形成されている。また、この巻線支持部４６Ｕ，５６Ｕは、ステータコア２０の周方向において上述の軸部絶縁部４２Ｕ，５２Ｕよりも幅広に形成されている。
【００４５】
この巻線支持部４６Ｕ，５６Ｕにおけるステータコア２０の周方向両側の側部には、ステータコア２０の軸方向に延びるガイド溝４８Ｕ，５８Ｕがそれぞれ形成されている。このガイド溝４８Ｕ，５８Ｕは、上述の端末部３２Ｕ（図１参照）をガイドするためのものである。また、第一絶縁部４０Ｕの巻線支持部４６Ｕには、ステータコア２０の軸方向一方側に延出する延出部６２Ｕが形成されており、この延出部６２Ｕの延出端部は、後述する連結部３６Ｕと接続されている。
【００４６】
連結部３６Ｕは、絶縁部３４Ｕに対してステータコア２０の軸方向一方側（矢印Ｚ１側）に配置されており、ステータコア２０の周方向に沿って延びる環状に形成されている。この連結部３６Ｕは、軸部絶縁部４２Ｕ，５２Ｕに対してステータコア２０の径方向内側に設けられている。この連結部３６Ｕの外周面における複数の絶縁部３４Ｕの間には、ステータコア２０の径方向外側に向けて突出する突起状の保持部６４Ｕがそれぞれ形成されている。この保持部６４Ｕは、上述の渡り線３０Ｕをステータコア２０の軸方向他方側（矢印Ｚ２側）から保持している（図１参照）。また、連結部３６Ｕにおける複数の延出部６２Ｕの間の部分は、ステータコア２０の軸方向他方側に開口する切欠き６６Ｕとして形成されている。
【００４７】
図１，図２Ｂに示されるＶ相のステータ構成部材１２Ｖは、上述のＵ相のステータ構成部材１２Ｕと基本的な構成は同一とされている。つまり、このＶ相のステータ構成部材１２Ｖは、複数のティース１４Ｖと、巻線１６Ｖと、インシュレータ１８Ｖを有して構成されている。なお、図２Ｂでは、巻線１６Ｖの図示が省略されている。
【００４８】
各ティース１４Ｖは、上述のティース１４Ｕと同一の構成とされており、軸部２２Ｖと、傘部２４Ｖとを有している。
【００４９】
図１に示される巻線１６Ｖは、Ｖ相を構成しており、複数の巻線巻回部２８Ｖと、複数の渡り線３０Ｖとを有している。複数の巻線巻回部２８Ｖは、それぞれ後述する軸部絶縁部４２Ｖ，５２Ｖを介してティース１４Ｖの軸部２２Ｖに集中的に巻回されており、複数の渡り線３０Ｖによって互いに接続されている。渡り線３０Ｖは、後述するインシュレータ１８Ｖに形成された連結部３６Ｖの外周面に沿って配線されている（巻き付けられている）。また、巻線１６Ｖの両端側の端末部３２Ｖは、ティース１４Ｖからステータコア２０の軸方向一方側（矢印Ｚ１側）に導出されている。
【００５０】
インシュレータ１８Ｖは、樹脂製とされており、図２Ｂに示されるように、複数の絶縁部３４Ｖと、連結部３６Ｖとを一体に有している。複数の絶縁部３４Ｖは、上述の複数のティース１４Ｖと同数設けられており、環状に等間隔に配列されている。各絶縁部３４Ｖは、ステータコア２０の軸方向に分割された第一絶縁部４０Ｖ及び第二絶縁部５０Ｖを有している。
【００５１】
第一絶縁部４０Ｖ及び第二絶縁部５０Ｖは、軸部絶縁部４２Ｖ，５２Ｖ、傘部絶縁部４４Ｖ，５４Ｖ、及び、巻線支持部４６Ｖ，５６Ｖをそれぞれ有している。この軸部絶縁部４２Ｖ，５２Ｖ、傘部絶縁部４４Ｖ，５４Ｖ、及び、巻線支持部４６Ｖ，５６Ｖは、ティース１４Ｖと巻線巻回部２８Ｖ（図１参照）とを絶縁する絶縁本体部６０Ｖを構成している。この絶縁本体部６０Ｖは、上述の絶縁本体部６０Ｕと同一の構成とされている。
【００５２】
また、巻線支持部４６Ｖ，５６Ｖにおけるステータコア２０の周方向両側の側部には、ステータコア２０の軸方向に延びるガイド溝４８Ｖ，５８Ｖがそれぞれ形成されている。このガイド溝４８Ｖ，５８Ｖは、上述の端末部３２Ｖ（図１参照）をガイドするためのものである。また、第一絶縁部４０Ｖの巻線支持部４６Ｖには、ステータコア２０の径方向内側に延出する延出部６２Ｖが形成されており、この延出部６２Ｖの延出端部は、後述する連結部３６Ｖと接続されている。
【００５３】
連結部３６Ｖは、絶縁部３４Ｖに対してステータコア２０の軸方向一方側（矢印Ｚ１側）に配置されている。この連結部３６Ｖは、ステータコア２０の周方向に沿って延びると共にステータコア２０の軸方向を板厚方向とする円環板状に形成されている。また、この連結部３６Ｖは、軸部絶縁部４２Ｖ，５２Ｖに対してステータコア２０の径方向内側に設けられている。この連結部３６Ｖの外周面における複数の絶縁部３４Ｖの間には、ステータコア２０の径方向外側に向けて突出する突起状の保持部６４Ｖがそれぞれ形成されている。この保持部６４Ｖは、上述の渡り線３０Ｖをステータコア２０の軸方向他方側（矢印Ｚ２側）から保持している（図１参照）。また、連結部３６Ｖにおける複数の延出部６２Ｖの間の部分には、ステータコア２０の軸方向他方側に開口する切欠き６６Ｖが形成されている。
【００５４】
図１，図２Ｃに示されるＷ相のステータ構成部材１２Ｗは、上述のＵ相のステータ構成部材１２Ｕ、及び、Ｖ相のステータ構成部材１２Ｖと基本的な構成は同一とされている。つまり、このＷ相のステータ構成部材１２Ｗは、複数のティース１４Ｗと、巻線１６Ｗと、インシュレータ１８Ｗを有して構成されている。なお、図２Ｃでは、巻線１６Ｗの図示が省略されている。
【００５５】
各ティース１４Ｗは、上述のティース１４Ｕ，１４Ｖと同一の構成とされており、軸部２２Ｗと、傘部２４Ｗとを有している。
【００５６】
図１に示される巻線１６Ｗは、Ｗ相を構成しており、複数の巻線巻回部２８Ｗと、複数の渡り線３０Ｗとを有している。複数の巻線巻回部２８Ｗは、それぞれ後述する軸部絶縁部４２Ｗ，５２Ｗを介してティース１４Ｗの軸部２２Ｗに集中的に巻回されており、複数の渡り線３０Ｗによって互いに接続されている。渡り線３０Ｗは、後述するインシュレータ１８Ｗに形成された連結部３６Ｗの外周面に沿って配線されている（巻き付けられている）。また、巻線１６Ｗの両端側の端末部３２Ｗは、ティース１４Ｗからステータコア２０の軸方向一方側（矢印Ｚ１側）に導出されている。
【００５７】
インシュレータ１８Ｗは、樹脂製とされており、図２Ｃに示されるように、複数の絶縁部３４Ｗと、連結部３６Ｗとを一体に有している。複数の絶縁部３４Ｗは、上述の複数のティース１４Ｗと同数設けられており、環状に等間隔に配列されている。各絶縁部３４Ｗは、ステータコア２０の軸方向に分割された第一絶縁部４０Ｗ及び第二絶縁部５０Ｗを有している。
【００５８】
第一絶縁部４０Ｗ及び第二絶縁部５０Ｗは、軸部絶縁部４２Ｗ，５２Ｗ、傘部絶縁部４４Ｗ，５４Ｗ、及び、巻線支持部４６Ｗ，５６Ｗをそれぞれ有している。この軸部絶縁部４２Ｗ，５２Ｗ、傘部絶縁部４４Ｗ，５４Ｗ、及び、巻線支持部４６Ｗ，５６Ｗは、ティース１４Ｗと巻線巻回部２８Ｗ（図１参照）とを絶縁する絶縁本体部６０Ｗを構成している。この絶縁本体部６０Ｗは、上述の絶縁本体部６０Ｕ，６０Ｖと同一の構成とされている。
【００５９】
また、巻線支持部４６Ｗ，５６Ｗにおけるステータコア２０の周方向両側の側部には、ステータコア２０の軸方向に延びるガイド溝４８Ｗ，５８Ｗがそれぞれ形成されている。このガイド溝４８Ｗ，５８Ｗは、上述の端末部３２Ｗ（図１参照）をガイドするためのものである。また、第一絶縁部４０Ｗの巻線支持部４６Ｗには、ステータコア２０の径方向内側に延出する延出部６２Ｗが形成されており、この延出部６２Ｗの延出端部は、後述する連結部３６Ｗと接続されている。
【００６０】
連結部３６Ｗは、絶縁部３４Ｗに対してステータコア２０の軸方向一方側（矢印Ｚ１側）に配置されており、ステータコア２０の周方向に沿って延びる環状に形成されている。また、この連結部３６Ｗは、軸部絶縁部４２Ｗ，５２Ｗに対してステータコア２０の径方向内側に設けられている。この連結部３６Ｗは、ステータコア２０の軸方向を板厚方向とする円環状の保持部６４Ｗと、この保持部６４Ｗにおける径方向内側の部位からステータコア２０の軸方向一方側に延出する環状のスペーサ６８Ｗとを有している。保持部６４Ｗは、上述の渡り線３０Ｗをステータコア２０の軸方向他方側（矢印Ｚ２側）から保持している（図１参照）。
【００６１】
そして、図１に示されるように、この複数のステータ構成部材１２Ｕ，１２Ｖ，１２Ｗは、互いに組み付けられて、ステータ１０を構成している。また、このステータ１０では、複数のティース１４Ｕ，１４Ｖ，１４Ｗによって環状のステータコア２０が構成されており、複数の傘部２４Ｕ，２４Ｖ，２４Ｗによって環状のヨーク２６が形成されている。つまり、換言すれば、ステータコア２０は、周方向に複数のティース１４Ｕ，１４Ｖ，１４Ｗに分割されており、ヨーク２６は、周方向に複数の傘部２４Ｕ，２４Ｖ，２４Ｗに分割されている。複数の傘部２４Ｕ，２４Ｖ，２４Ｗは、それぞれ両側に隣り合う一対の傘部の間に嵌合されている。
【００６２】
また、複数の連結部３６Ｕ，３６Ｖ，３６Ｗは、ステータコア２０と同軸上に設けられている。この複数の連結部３６Ｕ，３６Ｖ，３６Ｗ及び上述の複数の延出部６２Ｕ，６２Ｖ，６２Ｗは、各ティース１４Ｕ，１４Ｖ，１４Ｗに対してステータコア２０の径方向内側に位置されている。また、連結部３６Ｕは、連結部３６Ｖ，３６Ｗの径方向外側に配置されて、この連結部３６Ｖ，３６Ｗとの間に間隙を有している。一方、連結部３６Ｖは、連結部３６Ｗの軸方向一方側に配置されて、この連結部３６Ｗとの間に間隙を有している。
【００６３】
また、Ｖ相の保持部６４Ｖは、Ｕ相の連結部３６Ｕの内周面と嵌合されており、これにより、連結部３６Ｕ及び連結部３６Ｖは、互いに径方向に離間した状態で保持されている。つまり、保持部６４Ｖは、連結部３６Ｕ及び連結部３６Ｖの径方向間に設けられ、この連結部３６Ｕと連結部３６Ｖとを互いに径方向に離間した状態で保持するスペーサの役割も果たしている。一方、スペーサ６８Ｗは、Ｖ相の連結部３６Ｖにおける軸方向他方側（矢印Ｚ２側）の面と当接されており、これにより、連結部３６Ｖ及び連結部３６Ｗは、互いに軸方向に離間した状態で保持されている。
【００６４】
さらに、上述のように、複数の連結部３６Ｕ，３６Ｖ，３６Ｗが互い組み付けられた状態では、Ｖ相の渡り線３０Ｖは、Ｕ相の連結部３６Ｕに形成された切欠き６６Ｕの内側を通過している（切欠き６６Ｕに収容されている）。また、Ｗ相の渡り線３０Ｗは、Ｕ相，Ｖ相の連結部３６Ｕ，３６Ｖに形成された切欠き６６Ｕ，６６Ｖの内側を通過している（切欠き６６Ｕ，６６Ｖに収容されている）。この切欠き６６Ｕ，６６Ｖは、本発明における収容部の一例である。
【００６５】
次に、上記構成からなるステータ１０の製造方法について説明する。
【００６６】
＜成形工程＞
先ず、図３Ａに示されるように、上述のインシュレータ１８Ｕが樹脂成形により形成される。このとき、図３Ａに示されるように、インシュレータ１８Ｕにおいては、第二絶縁部５０Ｕが第一絶縁部４０Ｕに対して連結部３６Ｕの接線方向に隣り合うように形成されると共に、第一絶縁部４０Ｕ及び第二絶縁部５０Ｕにおける傘部絶縁部４４Ｕ，５４Ｕ同士を連結する橋絡部７０Ｕが形成される。
【００６７】
つまり、この成形工程では、第一絶縁部４０Ｕ及び第二絶縁部５０Ｕが、橋絡部７０Ｕを介して連結された状態で成形される。また、このとき、複数の第二絶縁部５０Ｕが各第一絶縁部４０Ｕに対して同じ側（連結部３６Ｕの接線方向の同じ側）にずらされて形成され、且つ、各橋絡部７０Ｕが互いに同一の長さで形成される。
【００６８】
なお、このインシュレータ１８Ｕにおいては、軸部絶縁部４２Ｕ，５２Ｕのコ字状断面における開口が互いに逆向きになるように、第一絶縁部４０Ｕ及び第二絶縁部５０Ｕが形成されていたが、軸部絶縁部４２Ｕ，５２Ｕのコ字状断面における開口が互いに同じ向きになるように、第一絶縁部４０Ｕ及び第二絶縁部５０Ｕが形成されても良い。
【００６９】
＜装着・切断工程＞
続いて、図４Ａに示されるように、治具８０の上にインシュレータ１８Ｕが載置される。このとき、第二絶縁部５０Ｕは、可動台８２の上に載置される。また、複数のティース１４Ｕの各々が鉛直方向上側から第二絶縁部５０Ｕに装着される。そして、その後、図４Ｂに示されるように、パンチング工具８４を用いて各橋絡部７０Ｕが切断される。
【００７０】
＜位置合わせ工程＞
次いで、図４Ｃに示されるように、複数の第一絶縁部４０Ｕと共に連結部３６Ｕが持上げ治具８６により上昇される。このとき、第一絶縁部４０Ｕは、ティース１４Ｕよりも高い位置に位置される。そして、第一絶縁部４０Ｕの下方にティース１４Ｕが位置されるように、第二絶縁部５０Ｕと共に可動台８２が連結部３６Ｕの接線方向にスライドされる。
【００７１】
そして、これにより、図４Ｄに示されるように、第二絶縁部５０Ｕに装着されたティース１４Ｕと第一絶縁部４０Ｕとの位置合わせが行われる。このときの位置合わせは、ティース１４Ｕを鉛直方向上側から第二絶縁部５０Ｕに装着したままの状態で行われる。
【００７２】
＜装着工程＞
そして、図４Ｄに示されるように、複数の第一絶縁部４０Ｕと共に連結部３６Ｕが持上げ治具８６により降下され、第二絶縁部５０Ｕに装着されたティース１４Ｕに第一絶縁部４０Ｕが装着される。また、このとき、押え具８８により第一絶縁部４０Ｕがティース１４Ｕに押え付けられる。
【００７３】
＜巻線巻回工程＞
そして、図４Ｅに示されるように、フライヤ９０により、第一絶縁部４０Ｕ及び第二絶縁部５０Ｕを介してティース１４Ｕに巻線１６Ｕが巻回され、この巻線１６Ｕによりティース１４Ｕに巻線巻回部２８Ｕが形成される。以上の要領により、ステータ構成部材１２Ｕが完成される。
【００７４】
また、このステータ構成部材１２Ｕと同様に、ステータ構成部材１２Ｖ，１２Ｗについても製造される。
【００７５】
すなわち、成形工程では、図３Ｂに示されるように、インシュレータ１８Ｖにおいては、第一絶縁部４０Ｖ及び第二絶縁部５０Ｖと、第一絶縁部４０Ｖ及び第二絶縁部５０Ｖを連結する橋絡部７０Ｖとが一体に形成される。また、図３Ｃに示されるように、インシュレータ１８Ｗにおいては、第一絶縁部４０Ｗ及び第二絶縁部５０Ｗと、第一絶縁部４０Ｗ及び第二絶縁部５０Ｗを連結する橋絡部７０Ｗとが一体に形成される。
【００７６】
続いて、装着・切断工程において、複数のティース１４Ｖ，Ｗが第二絶縁部５０Ｖ，Ｗにそれぞれ装着され、その後、各橋絡部７０Ｖ，７０Ｗが切断される。また、位置合わせ工程において、第二絶縁部５０Ｖ，５０Ｗに装着されたティース１４Ｖ，１４Ｗと第一絶縁部４０Ｖ，５０Ｗとの位置合わせが行われ、装着工程において、第二絶縁部５０Ｖ，５０Ｗに装着されたティース１４Ｖ，１４Ｗに第一絶縁部４０Ｖ，４０Ｗが装着される。
【００７７】
次いで、巻線巻回工程において、ティース１４Ｖ，１４Ｗに巻線１６Ｖ，１６Ｗが巻回され、この巻線１６Ｖ，１６Ｗによりティース１４Ｖ，１４Ｗに巻線巻回部２８Ｖ，２８Ｗが形成される。以上の要領により、ステータ構成部材１２Ｖ，１２Ｗが完成される。
【００７８】
そして、この複数のステータ構成部材１２Ｕ，１２Ｖ，１２Ｗが互いに組み付けられることにより、ステータ１０が完成される。
【００７９】
次に、本発明の一実施形態の作用及び効果について説明する。
【００８０】
なお、以下の説明において、各部材及び各部について、Ｕ相、Ｖ相、Ｗ相の区別をしない場合には、便宜上、符合の末尾からＵ，Ｖ，Ｗの記載を省略する。
【００８１】
本発明の一実施形態に係るステータ１０の製造方法によれば、成形工程において、インシュレータ１８における第一絶縁部４０及び第二絶縁部５０が橋絡部７０を介して一体に形成される。従って、第一絶縁部４０及び第二絶縁部５０を別々に成形した場合に比して、ステータ１０の組み立てに必要な部品点数を削減することができる。
【００８２】
また、装着・切断工程においては、ティース１４が第二絶縁部５０に装着された後に、橋絡部７０が切断される。従って、ティース１４を第二絶縁部５０に装着する際に、インシュレータ１８を治具８０にセットする場合でも、第二絶縁部５０を含むインシュレータ１８の全体を一度に治具８０にセットすることができる。これにより、ティース１４を第二絶縁部５０に装着する前に、橋絡部７０を切断する場合に比して、インシュレータ１８を治具８０にセットする工数を削減することができる。
【００８３】
また、成形工程において、環状に配列された複数の第一絶縁部４０は、連結部３６によって連結される。従って、その後の位置合わせ工程において、第二絶縁部５０に装着されたティース１４と第一絶縁部４０との位置合わせを容易に行うことができる。
【００８４】
特に、成形工程において、複数の第一絶縁部４０は、環状に等間隔に配列され、複数の第二絶縁部５０は、各第一絶縁部４０に対して同じ側にずらして形成される。また、各橋絡部７０は、互いに同一の長さで形成される。従って、成形工程の後の装着・切断工程において、ティース１４を第二絶縁部５０に装着し、位置合わせ工程において、このティース１４が装着された第二絶縁部５０を第一絶縁部４０に対して移動させてティース１４と第一絶縁部４０との位置合わせを行う場合でも、複数の第二絶縁部５０の移動距離を統一させることができる。これにより、第二絶縁部５０に装着されたティース１４と第一絶縁部４０との位置合わせをより一層容易に行うことができる。
【００８５】
また、位置合わせ工程においては、ティース１４を鉛直方向上側から第二絶縁部５０に装着した状態で、ティース１４と第一絶縁部４０との位置合わせが行われる。従って、ティース１４を第二絶縁部５０に装着した状態に容易に保持することができるので、このことによっても、第二絶縁部５０に装着されたティース１４と第一絶縁部４０との位置合わせを容易に行うことができる。
【００８６】
また、このステータ１０の製造方法によれば、一つのステータコア２０に対し、複数のインシュレータ１８を成形する。従って、ステータコア２０の周方向に分割された複数のティース１４の各々を各インシュレータ１８に組み付ければ、ステータコア２０を複数のステータ構成部材１２Ｕ，１２Ｖ，１２Ｗに分割することができる。これにより、各ステータ構成部材１２Ｕ，１２Ｖ，１２Ｗ毎の製造が可能になるので、ステータコア２０の組立作業（特に、巻線１６の巻回作業）が容易となる。
【００８７】
また、複数のインシュレータ１８Ｕ，１８Ｖ，１８Ｗが互いに組み付けられた場合には、連結部３６Ｕと連結部３６Ｖ，３６Ｗとがステータコア２０の径方向に間隙を有して配置され、連結部３６Ｖと連結部３６Ｗとがステータコア２０の軸方向に間隙を有して配置される。従って、複数のインシュレータ１８Ｕ，１８Ｖ，１８Ｗが互いに組み付けられる際に、複数の連結部３６Ｕ，３６Ｖ，３６Ｗの干渉を抑制することができる。これにより、複数のインシュレータ１８Ｕ，１８Ｖ，１８Ｗを互いに組み付ける際の作業性を良好にすることができる。
【００８８】
また、Ｕ相の連結部３６Ｕには、他の部材の一例であるＶ相，Ｗ相の渡り線３０Ｖ，３０Ｗを収容する切欠き６６Ｕが形成され、Ｖ相の連結部３６Ｖには、他の部材の一例であるＷ相の渡り線３０Ｗを収容する切欠き６６Ｖが形成される。これにより、ステータ１０の組立状態において、連結部３６Ｕと渡り線３０Ｖ，３０Ｗとの干渉、及び、連結部３６Ｖと渡り線３０Ｗとの干渉を回避することができる。
【００８９】
また、各連結部３６Ｕ，３６Ｖ，３６Ｗには、渡り線３０Ｕ，３０Ｖ，３０Ｗをそれぞれ保持するための保持部６４Ｕ，６４Ｖ，６４Ｗが形成される。従って、複数のステータ構成部材１２Ｕ，１２Ｖ，１２Ｗを互いに組み付ける際の作業性を良好にすることができる。また、ステータ１０をブラシレスモータに組み込んだ後においても、渡り線３０Ｕ，３０Ｖ，３０Ｗが保持部６４Ｕ，６４Ｖ，６４Ｗによって連結部３６Ｕ，３６Ｖ，３６Ｗに保持されるので、渡り線３０Ｕ，３０Ｖ，３０Ｗのばたつきを抑制することができ、異音や故障の発生を抑制することができる。
【００９０】
また、連結部３６Ｖには、連結部３６Ｕと連結部３６Ｖとが互いに離間した状態で保持されるようにスペーサの機能を有する保持部６４Ｖが形成され、連結部３６Ｗには、連結部３６Ｖと連結部３６Ｗとが互いに離間した状態で保持されるようにスペーサ６８Ｗが形成される。従って、ステータ１０の組立状態において、複数の連結部３６Ｕ，３６Ｖ，３６Ｗを互いに離間した状態で保持することができる。これにより、例えば、複数の連結部３６Ｕ，３６Ｖ，３６Ｗの間に渡り線３０Ｖ，３０Ｗを配線するためのスペースを確保することができると共に、複数の連結部３６Ｕ，３６Ｖ，３６Ｗのがたつきも抑制することができる。
【００９１】
また、複数のインシュレータ１８Ｕ，１８Ｖ，１８Ｗがステータコア２０に組み付けられた場合には、複数の連結部３６Ｕ，３６Ｖ，３６Ｗがステータコア２０と同軸上に設けられる。従って、ステータ１０の構造を簡素化することができる。
【００９２】
また、複数のインシュレータ１８Ｕ，１８Ｖ，１８Ｗがステータコア２０に組み付けられた場合には、各連結部３６がステータコア２０に対して径方向内側に位置される。従って、フライヤ９０を用いて巻線１６をステータコア２０の径方向外側からティース１４に巻回する際に、フライヤ９０と連結部３６が干渉することを抑制することができる。
【００９３】
また、ティース１４と巻線巻回部２８とを絶縁する絶縁本体部６０（第一絶縁部４０の巻線支持部４６）からは延出部６２が延出され、この延出部６２は、連結部３６によって連結される。ここで、この延出部６２は、ティース１４に対してステータコア２０の径方向内側に位置される。従って、フライヤ９０を用いてステータコア２０の径方向外側からティース１４に巻線１６を巻回する際に、フライヤ９０と延出部６２や連結部３６が干渉することを抑制することができる。
【００９４】
ところで、ティース１４において、軸部２２は、巻線１６が巻回されて巻線巻回部２８が形成される部位である。また、軸部２２における基端側には、例えば、巻線１６の端末部３２をガイドするガイド部（ガイド溝４８，５８）等が形成される。
【００９５】
この点、このステータ１０の製造方法によれば、橋絡部７０が、第一絶縁部４０及び第二絶縁部５０における傘部絶縁部４４，５４同士を連結するように形成される。従って、橋絡部７０を形成したことが、巻線巻回部２８やガイド部等に影響を及ぼすことを抑制することができる。
【００９６】
次に、本発明の一実施形態の変形例について説明する。
【００９７】
上記実施形態では、第二絶縁部５０が第一絶縁部４０に対して連結部３６の接線方向に隣り合うように形成されていたが、図５に示されるように、第二絶縁部５０は、第一絶縁部４０に対して連結部３６の周方向に隣り合うように形成されていても良い。
【００９８】
また、上記実施形態では、第二絶縁部５０がその両側に隣り合う一対の第一絶縁部４０のうちの一方のみと橋絡部７０を介して連結されていたが、図５に示されるように、第二絶縁部５０は、その両側に隣り合う一対の第一絶縁部４０とそれぞれ橋絡部７０を介して連結されていても良い。
【００９９】
なお、図５に示されるインシュレータ１８が使用される場合、ステータ構成部材１２は、図６Ａ〜図６Ｄに示されるように、上述の製造方法と同様の方法により製造されるが、上述の製造方法に対し以下の点が異なる。
【０１００】
つまり、図６Ａに示されるように、装着・切断工程においては、可動台８２として、連結部３６の周方向にスライド可能なものが使用される。また、図６Ｂに示されるように、装着・切断工程においては、連結部３６の周方向に間隔を空けて並ぶ複数の橋絡部７０が切断される。さらに、図６Ｃ，図６Ｄに示されるように、位置合わせ工程においては、第一絶縁部４０Ｕの下方にティース１４Ｕが位置されるように、第二絶縁部５０Ｕと共に可動台８２が連結部３６Ｕの周方向にスライドされる。なお、装着工程及び巻線巻回工程は、上記と同様である。
【０１０１】
このような製造方法によっても、上記実施形態における製造方法と同様の作用及び効果を奏することができる。
【０１０２】
また、上記実施形態では、装着・切断工程において、ティース１４が第二絶縁部５０に装着された後、その後の装着工程において、ティース１４に第一絶縁部４０が装着されていた。ところが、装着・切断工程において、ティース１４に鉛直方向上側から第一絶縁部４０が装着された後、その後の装着工程において、ティース１４に鉛直方向下側から第二絶縁部５０が装着されても良い。
【０１０３】
なお、この場合には、図示しない凹凸嵌合構造や摩擦構造、又は、治具等を用いることにより、第一絶縁部４０からのティース１４の脱落防止が図られても良い。また、治具等により弾性変形された第一絶縁部４０にティース１４が装着され、第一絶縁部４０の復元力によりティース１４が第一絶縁部４０に保持されても良い。
【０１０４】
また、第一絶縁部４０が鉛直方向上向きに開口した状態となるように、インシュレータ１８が上記と上下逆さまの状態とされ、この状態で、ティース１４が鉛直方向上側から第一絶縁部４０に装着されても良い。
【０１０５】
また、上記実施形態では、位置合わせ工程において、ティース１４が装着された第二絶縁部５０が、第一絶縁部４０に対して移動されていたが、連結部３６と共に第一絶縁部４０が、ティース１４が装着された第二絶縁部５０に対して移動されても良い。また、ティース１４が装着された第二絶縁部５０、及び、第一絶縁部４０の両方が移動されても良い。
【０１０６】
また、装着・切断工程においては、ティース１４が第二絶縁部５０に装着された後に、橋絡部７０が切断されていたが、ティース１４が第二絶縁部５０に装着された後に、橋絡部７０が切断されても良い。
【０１０７】
また、連結部３６Ｕと連結部３６Ｖ，３６Ｗとは、ステータコア２０の径方向に間隙を有して配置され、連結部３６Ｖと連結部３６Ｗとは、ステータコア２０の軸方向に間隙を有して配置されていたが、これら複数の連結部３６Ｕ，３６Ｖ，３６Ｗは、ステータコア２０の径方向及び軸方向のいずれか一方向、又は、それらを組み合わせた方向に間隙を有して配置されても良い。
【０１０８】
また、連結部３６Ｕには、収容部の一例として渡り線３０Ｖ，３０Ｗを収容する（渡り線３０Ｖ，３０Ｗが通過する）切欠き６６Ｕが形成され、連結部３６Ｖには、収容部の一例として渡り線３０Ｗを収容する（渡り線３０Ｗが通過する）切欠き６６Ｖが形成されていたが、連結部３６Ｗには、渡り線３０以外の他の部材を収容する例えば切欠き状の収容部が形成されても良い。
【０１０９】
また、延出部６２Ｕは、巻線支持部４６Ｕからステータコア２０の軸方向一方側に延出されていたが、巻線支持部５６Ｕからステータコア２０の軸方向他方側に延出されていても良い。
【０１１０】
また、各相のインシュレータ１８Ｕ，１８Ｖ，１８Ｗにおいて、巻線支持部４６，５６を除く軸部絶縁部４２，５２及び傘部絶縁部４４，５４が絶縁本体部６０とされると共に、巻線支持部４６において軸部絶縁部４２からステータコア２０の周方向に延出された部分が延出部とされても良い。同様に、巻線支持部４６，５６を除く軸部絶縁部４２，５２及び傘部絶縁部４４，５４が絶縁本体部６０とされると共に、巻線支持部５６において軸部絶縁部５２からステータコア２０の周方向に延出された部分が延出部とされても良い。そして、各延出部が連結部３６により連結されても良い。
【０１１１】
また、各相のインシュレータ１８Ｕ，１８Ｖ，１８Ｗにおいて、延出部６２は、ティース１４に対してステータコア２０の径方向内側に位置されていれば、絶縁本体部６０からステータコア２０の軸方向、径方向、及び、周方向のいずれか又はその組み合わせの方向に延出されても良い。
【０１１２】
また、Ｖ相のインシュレータ１８Ｖにおいて、保持部６４Ｖは、渡り線３０を保持する保持部としての機能と、連結部３６Ｕ，３６Ｖを互いに径方向に離間した状態で保持するスペーサとしての機能を有していたが、保持部及びスペーサがそれぞれ独立して設けられていても良い。
【０１１３】
また、複数の連結部３６Ｕ，３６Ｖ，３６Ｗは、ステータコア２０と同軸上に設けられていたが、ステータコア２０と同軸上に設けられていなくても良い。また、各連結部３６Ｕ，３６Ｖ，３６Ｗは、リング状に形成されていたが、例えば、多角形状に形成されていても良く、また、一部切欠きを有したＣ字状等、その他の形状とされていても良い。
【０１１４】
また、各連結部３６Ｕ，３６Ｖ，３６Ｗは、ティース１４に対してステータコア２０の径方向内側に位置されていたが、延出部６２Ｕ，６２Ｖ，６２Ｗがティース１４に対してステータコア２０の径方向内側に位置されていれば、各連結部３６Ｕ，３６Ｖ，３６Ｗは、ティース１４に対してステータコア２０の径方向外側に位置されていても良い。
【０１１５】
また、ステータ１０は、インナロータタイプのブラシレスモータ用とされていたが、アウタロータタイプのブラシレスモータ用とされていても良い。
【０１１６】
また、ステータ１０は、複数のグループの一例として複数の相毎に構成されたステータ構成部材１２Ｕ，１２Ｖ，１２Ｗに分割されていたが、複数の相が混在するグループ毎に構成された複数のステータ構成部材に分割されていても良い。
【０１１７】
また、上記以外にも、各グループを構成するステータ構成部材は、その他の組み合わせからなる複数相のティースを有していても良い。
【０１１８】
なお、本実施形態に係るステータ１０が適用されるブラシレスモータは、一例として、８極１２スロットとされるが、磁極の数及びスロットの数は、その他の組み合わせとされていても良い。
【０１１９】
また、複数の巻線１６の結線方法は、直列及び並列ともに、スター結線、デルタ結線とされていても良い。
【０１２０】
以上、本発明の一実施形態について説明したが、本発明は、上記に限定されるものでなく、上記以外にも、その主旨を逸脱しない範囲内において種々変形して実施可能であることは勿論である。
【符号の説明】
【０１２１】
１０…ステータ、１２Ｕ，１２Ｖ，１２Ｗ…ステータ構成部材、１４，１４Ｕ，１４Ｖ，１４Ｗ…ティース、１６，１６Ｕ，１６Ｖ，１６Ｗ…巻線、１８，１８Ｕ，１８Ｖ，１８Ｗ…インシュレータ、２０…ステータコア、２２，２２Ｕ，２２Ｖ，２２Ｗ…軸部、２４Ｕ，２４Ｖ，２４Ｗ…傘部、２６…ヨーク、２８，２８Ｕ，２８Ｖ，２８Ｗ…巻線巻回部、３０，３０Ｕ…渡り線、３０Ｖ，３０Ｗ…渡り線（他の部材）、３２，３２Ｕ，３２Ｖ，３２Ｗ…端末部、３４Ｕ，３４Ｖ，３４Ｗ…絶縁部、３６，３６Ｕ，３６Ｖ，３６Ｗ…連結部、４０，４０Ｕ，４０Ｖ，４０Ｗ…第一絶縁部、４２，４２Ｕ，４２Ｖ，４２Ｗ，５２，５２Ｕ，５２Ｖ，５２Ｗ…軸部絶縁部、４４，４４Ｕ，４４Ｖ，４４Ｗ，５４，５４Ｕ，５４Ｖ，５４Ｗ…傘部絶縁部、４６，４６Ｕ，４６Ｖ，４６Ｗ，５６，５６Ｕ，５６Ｖ，５６Ｗ…巻線支持部、４８，４８Ｕ，４８Ｖ，４８Ｗ，５８，５８Ｕ，５８Ｖ，５８Ｗ…ガイド溝、５０，５０Ｕ，５０Ｖ，５０Ｗ…第二絶縁部、６０，６０Ｕ，６０Ｖ，６０Ｗ…絶縁本体部、６２，６２Ｕ，６２Ｖ，６２Ｗ…延出部、６４Ｕ，６４Ｗ…保持部、６４Ｖ…保持部（スペーサ）、６６Ｕ，６６Ｖ…切欠き（収容部）、６８Ｗ…スペーサ、７０，７０Ｕ，７０Ｖ，７０Ｗ…橋絡部
【図１】
0005536123.tif 000002
【図２Ａ】
0005536123.tif 000003
【図２Ｂ】
0005536123.tif 000004
【図２Ｃ】
0005536123.tif 000005
【図３Ａ】
0005536123.tif 000006
【図３Ｂ】
0005536123.tif 000007
【図３Ｃ】
0005536123.tif 000008
【図４Ａ】
0005536123.tif 000009
【図４Ｂ】
0005536123.tif 000010
【図４Ｃ】
0005536123.tif 000011
【図４Ｄ】
0005536123.tif 000012
【図４Ｅ】
0005536123.tif 000013
【図５】
0005536123.tif 000014
【図６Ａ】
0005536123.tif 000015
【図６Ｂ】
0005536123.tif 000016
【図６Ｃ】
0005536123.tif 000017
【図６Ｄ】
0005536123.tif 000018